(57)【要約】      （修正有）【課題】製造コストを低減しつつ表示品質の安定化を実現することが可能な電気泳動表示装置、電子機器及び電気泳動表示装置の製造方法を提供する。【解決手段】電気泳動表示装置は、素子基板と、該素子基板上に設けられた駆動電極層（複数の画素電極３５）と、該駆動電極層上に設けられた絶縁層１４０と、絶縁層１４０上に設けられた電気泳動表示層とを備える。絶縁層１４０は、該駆動電極層の少なくとも一部の上方を通り該素子基板の対向する２辺の両端部に連通する開口部１４２を有する。【選択図】図４
2015184634.tif 000002
【特許請求の範囲】
【請求項１】
基板と、前記基板上に設けられた電極層と、前記電極層上に設けられた絶縁層と、前記絶縁層上に設けられた電気泳動表示層とを備えた電気泳動表示装置において、
前記絶縁層は、前記電極層の少なくとも一部の上方を通り前記基板の端部に連通する開口部を有する、電気泳動表示装置。
【請求項２】
請求項１に記載の電気泳動表示装置において、
前記開口部は、前記基板の対向する２辺の両端部に連通する、電気泳動表示装置。
【請求項３】
請求項１に記載の電気泳動表示装置において、
前記開口部は、前記基板の対向する２辺の両端部に連通し、且つ、前記２辺を結ぶ方向と直交する方向で対向する前記基板の他の２辺の両端部に連通する、電気泳動表示装置。
【請求項４】
請求項１乃至３のいずれかに記載の電気泳動表示装置を含む電子機器。
【請求項５】
基板上に電極層を設ける工程と、
前記電極層上に絶縁層を設ける工程と、
前記絶縁層に、前記電極層の少なくとも一部の上方を通り前記基板の端部に連通する開口部を設ける工程と、
前記絶縁層上に電気泳動表示層を設ける工程と、を含む、電気泳動表示装置の製造方法。
【発明の詳細な説明】
【技術分野】
【０００１】
本発明は、電気泳動表示装置、電子機器及び電気泳動表示装置の製造方法に関する。
【背景技術】
【０００２】
従来から、電気泳動表示層を有する電気泳動表示装置が知られている（例えば、特許文献１）。図１０（Ａ）は、従来の電気泳動表示装置の表示部の構成を示す部分断面図である。図１０（Ａ）に示す電気泳動表示装置の表示部は、画素電極５００が設けられた素子基板５１０と、共通電極５２０が設けられた対向基板５３０で、電気泳動表示層５４０を挟持する構成となっている。電気泳動表示層５４０は、複数のマイクロカプセル５４２を配列してなる電気泳動素子５４４により構成され、電気泳動素子５４４と素子基板５１０の間、及び電気泳動素子５４４と対向基板５３０との間には、それぞれ接着層５４６が設けられている。Ａｌ電極からなる画素電極５００の上面には、Ｎｉメッキ層を下層としＡｕメッキ層を上層とするバンプ５０２が形成されており、バンプ５０２が形成された画素電極５００は全体として上に凸の形状で電気泳動表示層５４０に接触している。また、画素電極５００には、画素電極５００の周縁部を覆って形成された絶縁層５５０が設けられている。絶縁層５５０は、画素電極５００上に絶縁層５５０の薄膜を形成した後、エッチング法により画素電極５００上の中央部の領域を開口して形成される。絶縁層５５０を設けることで、画素電極５００が素子基板５１０から剥がれてしまうことを防止することができる。
【０００３】
ここで、画素電極５００の上面にバンプ５０２を形成しないようにすることで、製造コストを低減し、また、製造歩留りを向上することができる。図１０（Ａ）に示す表示部においてバンプ５０２を省略すると、図１０（Ｂ）に示すような構成となる。図１０（Ｃ）は、図１０（Ｂ）に示す表示部のうち、絶縁層５５０及び画素電極５００のみを示した表示部の平面図である。
【先行技術文献】
【特許文献】
【０００４】
【特許文献１】特開２００９−１１５６８６号公報
【発明の概要】
【発明が解決しようとする課題】
【０００５】
電気泳動表示装置の表示部を製造する際には、絶縁層５５０を設けた画素電極５００上に電気泳動表示層５４０を載せ、真空チャンバー内で電気泳動表示層５４０を画素電極５００（駆動電極層）に貼り合わせる。ここで、図１０（Ｂ）、図１０（Ｃ）に示す構成では、絶縁層５５０が、画素電極５００の上面から突出して形成され、且つ画素電極５００の周縁部の全周に渡って形成されている。そのため、電気泳動表示層５４０を貼り合わせる際に、図１０（Ｂ）に示すように、電気泳動表示層５４０と画素電極５００との隙間Ｃにある空気の一部は外部に排出されずに空隙（気泡等）として残り、これにより、電気泳動表示層５４０を画素電極５００に密着させることができない（未接着部が生じる）場合があった。電気泳動表示層５４０と画素電極５００との密着（接着）が不十分であると、当該画素電極５００に対応する画素において、電気泳動素子を駆動するため有効電界が小さくなり、表示品質が低下する問題が生じる。
【０００６】
本発明はこのような問題点に鑑みてなされたものである。本発明のいくつかの態様によれば、製造コストを低減しつつ表示品質の安定化を実現することが可能な電気泳動表示装置、電子機器及び電気泳動表示装置の製造方法を提供することができる。
【課題を解決するための手段】
【０００７】
（１）本発明は、基板と、前記基板上に設けられた電極層と、前記電極層上に設けられた絶縁層と、前記絶縁層上に設けられた電気泳動表示層とを備えた電気泳動表示装置において、
前記絶縁層は、前記電極層の少なくとも一部の上方を通り前記基板の端部に連通する開口部を有する。
【０００８】
本発明によれば、絶縁層に、電極層の少なくとも一部の上方を通り基板の端部に連通する開口部を設けることで、電気泳動表示層を貼り合わせる際に、電気泳動表示層と電極層との間の空気が開口部を通って基板の端部から排出されるため、電気泳動表示層を電極層に密着させることができ、表示品質の安定化を実現することができる。
【０００９】
（２）また本発明において、
前記開口部は、前記基板の対向する２辺の両端部に連通してもよい。
【００１０】
本発明によれば、電気泳動表示層を貼り合わせる際に、電気泳動表示層と電極層との間の空気が開口部を通って基板の対向する２辺の両端部から排出されるため、電気泳動表示層を電極層に密着させることができ、表示品質の安定化を実現することができる。
【００１１】
（３）また本発明において、
前記開口部は、前記基板の対向する２辺の両端部に連通し、且つ、前記２辺を結ぶ方向と直交する方向で対向する前記基板の他の２辺の両端部に連通してもよい。
【００１２】
本発明によれば、電気泳動表示層を貼り合わせる際に、電気泳動表示層と電極層との間の空気が開口部を通って基板の４辺の端部から排出されるため、電気泳動表示層を電極層に密着させることができ、表示品質の安定化を実現することができる。
【００１３】
（４）また本発明は、前記電気泳動表示装置を含む電子機器であってもよい。
【００１４】
（５）本発明は、電気泳動表示装置の製造方法において、
基板上に電極層を設ける工程と、
前記電極層上に絶縁層を設ける工程と、
前記絶縁層に、前記電極層の少なくとも一部の上方を通り前記基板の端部に連通する開口部を設ける工程と、
前記絶縁層上に電気泳動表示層を設ける工程と、を含む。
【００１５】
本発明によれば、絶縁層に、電極層の少なくとも一部の上方を通り基板の端部に連通する開口部を設けることで、電気泳動表示層を貼り合わせる際に、電気泳動表示層と電極層との間の空気が開口部を通って基板の端部から排出されるため、電気泳動表示層を電極層に密着させることができ、表示品質の安定化を実現することができる。
【図面の簡単な説明】
【００１６】
【図１】第１の実施形態の電気泳動表示装置のブロック図。
【図２】第１の実施形態の電気泳動表示装置の画素の構成例を示す図。
【図３】第１の実施形態の電気泳動表示装置の表示部の部分断面図。
【図４】絶縁層及び画素電極のみを示した第１の実施形態の表示部の平面図。
【図５】表示部の製造手順を示す部分断面図。
【図６】絶縁層及び画素電極のみを示した第２の実施形態の表示部の平面図。
【図７】絶縁層及び画素電極のみを示した変形例の表示部の平面図。
【図８】適用例の電子機器のブロック図。
【図９】図９（Ａ）は電子機器の一例である電子時計の図、図９（Ｂ）は電子機器の一例である電子ペーパーの図。
【図１０】従来例について説明するための図。
【発明を実施するための形態】
【００１７】
（第１の実施形態）
図１は、本実施形態のアクティブマトリックス方式の電気泳動表示装置の構成を示す図である。
【００１８】
電気泳動表示装置１０は、表示制御回路６０、表示部３を含む。表示制御回路６０は、表示部３を制御する制御部であり、走査線駆動回路６１、データ線駆動回路６２、コントローラー６３、共通電源変調回路６４、記憶部１６０を含む。
【００１９】
走査線駆動回路６１、データ線駆動回路６２、共通電源変調回路６４、記憶部１６０は、それぞれコントローラー６３と接続されている。コントローラー６３は、例えば時刻信号等の入力信号（図外）に基づいて、これらを総合的に制御する。
【００２０】
記憶部１６０は、例えばＶＲＡＭと、例えばフラッシュメモリー等の不揮発性メモリーを含んでいてもよい（図外）。ＶＲＡＭは表示部３に表示させる画像のデータを記憶する。ＶＲＡＭは複数のバンクに分かれており、それぞれが個別のＶＲＡＭとして機能してもよい。また、不揮発性メモリーはＶＲＡＭに記憶されたデータを構成する要素のデータ（例えばパーツデータや背景データ）を記憶する。なお、記憶部１６０は、その他に例えばＳＲＡＭ、ＤＲＡＭ等を含んでいてもよい。
【００２１】
表示部３には、走査線駆動回路６１から延びる複数の走査線６６と、データ線駆動回路６２から延びる複数のデータ線６８とが形成されており、これらの交差位置に対応して複数の画素４０が設けられている。
【００２２】
走査線駆動回路６１は、ｍ本の走査線６６（Ｙ１、Ｙ２、…、Ｙｍ）により各画素４０に接続されている。走査線駆動回路６１は、コントローラー６３の制御に従って１行目からｍ行目までの走査線６６を順次選択することで、画素４０に設けられた駆動用ＴＦＴ４８（図２参照）のオンタイミングを規定する選択信号を供給する。
【００２３】
データ線駆動回路６２は、ｎ本のデータ線６８（Ｘ１、Ｘ２、…、Ｘｎ）により各画素４０に接続されている。データ線駆動回路６２は、コントローラー６３の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画素データ「１」を規定する場合には、ハイレベルの画像信号を画素４０に供給するものとする。
【００２４】
表示部３には、また、共通電源変調回路６４から延びる低電位電源線４９（Ｖｓｓ）、高電位電源線５０（Ｖｄｄ）、共通電極配線５５（Ｖｃｏｍ）、第１のパルス信号線９１（Ｓ１）、第２のパルス信号線９２（Ｓ２）が設けられており、それぞれの配線は画素４０と接続されている。共通電源変調回路６４は、コントローラー６３の制御に従って上記配線のそれぞれに供給する各種信号を生成する一方、これら各配線の電気的な接続及び切断（ハイインピーダンス化、Ｈｉ−Ｚ）を行う。
【００２５】
図２は、図１の画素４０の回路構成図である。なお、図１と同じ配線には同じ番号を付しており、説明は省略する。また、全画素に共通の共通電極配線５５については記載を省
略している。
【００２６】
画素４０には、駆動用ＴＦＴ（Thin Film Transistor）４８と、ラッチ回路７０と、スイッチ回路８０が設けられている。画素４０は、ラッチ回路７０により画像信号を電位として保持するＳＲＡＭ（Static Random Access Memory）方式の構成をとる。
【００２７】
駆動用ＴＦＴ４８は、Ｎ−ＭＯＳトランジスタからなる画素スイッチング素子である。駆動用ＴＦＴ４８のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。転送インバーター７０ｔ、帰還インバーター７０ｆには、低電位電源線４９（Ｖｓｓ）と高電位電源線５０（Ｖｄｄ）から電源電圧が供給される。
【００２８】
スイッチ回路８０は、トランスミッションゲートＴＧ１、ＴＧ２からなり、ラッチ回路７０に記憶された画素データのレベルに応じて、画素電極３５（図３参照）に信号を出力する。なお、Ｖａは、１つの画素４０の画素電極へ供給される電位（信号）を意味する。
【００２９】
ラッチ回路７０に画素データ「１」（ハイレベルの画像信号）が記憶されて、トランスミッションゲートＴＧ１がオン状態となると、スイッチ回路８０はＶａとして信号Ｓ１を供給する。一方、ラッチ回路７０に画素データ「０」（ローレベルの画像信号）が記憶されて、トランスミッションゲートＴＧ２がオン状態となると、スイッチ回路８０はＶａとして信号Ｓ２を供給する。このような回路構成により、表示制御回路６０はそれぞれの画素４０の画素電極に対して供給する電位（信号）を制御することが可能である。
【００３０】
図３は、電気泳動表示装置１０の表示部３の部分断面図である。
【００３１】
本実施形態の電気泳動表示装置１０は、二粒子系マイクロカプセル型の電気泳動方式であるとする。分散液は無色透明、電気泳動粒子は白色又は黒色のものであるとすると、白色又は黒色の２色を基本色として少なくとも２色を表示できる。ここでは、電気泳動表示装置１０は、基本色として黒色と白色とを表示可能であるとして説明する。
【００３２】
図３に示す表示部３は、素子基板１３０（本発明の基板に対応）と対向基板１３１で、電気泳動表示層３６０を挟持する構成となっている。
【００３３】
電気泳動表示層３６０は、複数のマイクロカプセル１２０を配列してなる電気泳動素子１３２により構成される。電気泳動素子１３２と素子基板１３０の間には接着層１３４が設けられ、電気泳動素子１３２と対向基板１３１との間には接着層１３６が設けられている。マイクロカプセル１２０は、例えば無色透明な分散液と、複数の白色の電気泳動粒子（白色粒子）と、複数の黒色の電気泳動粒子（黒色粒子）とを封入している。本実施形態では、例えば白色粒子は負に帯電しており、黒色粒子は正に帯電しているとする。
【００３４】
素子基板１３０の電気泳動素子１３２側には、画素電極３５が設けられている。複数の画素電極３５はマトリックス状に配列されて駆動電極層（本発明の電極層に対応）を形成する。画素電極３５には、画素４０ごとの電位（例えば、Ｖａ）が供給される。図１０（Ａ）に示す従来例と異なり、画素電極３５にはメッキ層からなるバンプが形成されないため、画素電極３５として信頼性の高い（腐食に強い等）電極を採用することが好ましい。例えば、画素電極３５として、チタンを下層とし窒化チタンを上層とする電極や、窒化チタン単層で構成される電極、チタンを下層としアルミ・ネオジウム合金（Ａｌ−Ｎｄ）を上層とする電極を用いることができる。
【００３５】
対向基板１３１は透明基板であり、対向基板１３１の電気泳動素子１３２側には、透明電極である共通電極３７（共通電極層）が設けられている。共通電極３７は、画素電極３５と異なり全画素に共通の電極であり、共通電極３７には、電位Ｖｃｏｍが供給される。
【００３６】
電気泳動表示層３６０は表示領域として機能し、共通電極３７と画素電極３５との間の電位差に応じて電気泳動素子１３２が駆動され、画素４０毎に所望の表示色を表示させることができる。すなわち、共通電極側の電位Ｖｃｏｍが画素４０の画素電極３５の電位（例えば、Ｖａ）よりも高電位である場合には、負に帯電した白色粒子が共通電極３７側に引き寄せられ、正に帯電した黒色粒子が画素電極３５に引き寄せられるため、当該画素４０は白色を表示していると視認される。一方、共通電極側の電位Ｖｃｏｍが画素４０の画素電極３５の電位よりも低電位である場合には、正に帯電した黒色粒子が共通電極３７側に引き寄せられ、負に帯電した白色粒子が画素電極３５側に引き寄せられるため、当該画素４０は黒色を表示していると視認される。
【００３７】
画素電極３５（駆動電極層）上には、絶縁層１４０が設けられている。絶縁層１４０は開口部（図４参照）を有し、絶縁層１４０の開口部は、駆動電極層の少なくとも一部の上方を通り素子基板１３０の端部に連通している。絶縁層１４０として、アクリルなどの樹脂膜や、ＳｉＯ２やＴＥＯＳ（テトラエトキシシラン）などの無機膜を用いることができる。
【００３８】
図４は、絶縁層１４０及び画素電極３５のみを示した表示部３の平面図（一部）である。図４では、画素電極３５の外形を実線で示し、絶縁層１４０の外形を一点鎖線で示している。
【００３９】
図４に示すように、絶縁層１４０は、画素電極３５の周縁部のうち図中左右の２辺のみを覆うように、且つ、図中縦方向に素子基板１３０の図中上下両端部まで延びるように形成されている。なお、絶縁層１４０を、画素電極３５の周縁部のうち図中上下の２辺のみを覆うように、且つ、図中横方向に素子基板１３０の図中左右両端部まで延びるように形成してもよい。すなわち、絶縁層１４０は、画素電極３５の中心上方を通り素子基板１３０の対向する２辺の両端部に連通する複数の開口部１４２を有する。絶縁層１４０を、図１０（Ｃ）に示す従来例と異なり、図４に示すように形成しても、絶縁層１４０は各画素電極３５の４隅を覆っているため、画素電極３５が素子基板１３０から剥がれてしまうことを防止することができる。
【００４０】
次に、本実施形態の電気泳動表示装置１０の表示部３の製造方法について説明する。図５（Ａ）〜図５（Ｅ）は、表示部３の製造手順を示す部分断面図である。
【００４１】
まず、素子基板１３０上に複数の画素電極３５を設け駆動電極層を形成する（図５（Ａ）参照）。次に、駆動電極層上に絶縁層１４０を設ける（図５（Ｂ）参照）。
【００４２】
次に、絶縁層１４０に対してエッチング法などの開口処理を施すことにより、画素電極３５上の領域を開口して、図４に示すようなパターンの開口部１４２を設ける（図５（Ｃ）参照）。ここで、図１０（Ａ）に示す従来例と異なり、画素電極３５にはバンプが形成されていないため、絶縁層１４０の上面が画素電極３５の上面から突出した形状となっている。
【００４３】
次に、絶縁層１４０上に電気泳動表示層３６０（ＥＰＤシート）を載せた状態（図５（Ｄ）参照）で、真空チャンバー内に配置し、真空チャンバー内で電気泳動表示層３６０と駆動電極層とを圧着（接着）する（図５（Ｅ）参照）。このとき、電気泳動表示層３６０（接着層１３４）と画素電極３５との隙間Ｃ（図５（Ｄ）参照）にある空気は、開口部１
４２を通って素子基板１３０の対向する２辺の両端部から排出されるため、図５（Ｅ）に示すように、電気泳動表示層３６０を画素電極３５に密着させることができる。図４に示す例では、電気泳動表示層３６０と画素電極３５との間の空気は、図中矢印Ｄで示す方向に抜けることになる。
【００４４】
次に、電気泳動表示層３６０の周縁部に封止材を設け（図示省略）、電気泳動表示層３６０上に共通電極３７と対向基板１３１を設ける(図３参照)。
【００４５】
このように、本実施形態の電気泳動表示装置１０の表示部３では、絶縁層１４０に、画素電極３５の中心上方を通り素子基板１３０の対向する２辺の両端部に連通する開口部１４２を設けることで、電気泳動表示層３６０を貼り合わせる際に、未接着部を生じさせずに電気泳動表示層３６０を駆動電極層に密着させることができ、表示品質の安定化を実現することができる。また、画素電極３５にバンプを形成しないようにすることで、製造コストを低減し、また、製造歩留りを向上することができる。
【００４６】
（第２の実施形態）
図６は、第２の実施形態に係る表示部３であって、絶縁層１４０及び画素電極３５のみを示した表示部３の平面図である。図６では、画素電極３５の外形を実線で示し、絶縁層１４０の外形を一点鎖線で示している。
【００４７】
第２の実施形態では、絶縁層１４０は、画素電極３５の周縁部のうち４隅のみを覆うように形成されている。すなわち、絶縁層１４０は、画素電極３５の中心上方を通り素子基板１３０の図中上下両端部（対向する２辺の両端部）及び図中左右両端部（前記２辺を結ぶ方向と直交する方向で対向する２辺の両端部）に連通する開口部１４２を有する。絶縁層１４０を図６に示すように形成しても、絶縁層１４０は各画素電極３５の４隅を覆っているため、画素電極３５が素子基板１３０から剥がれてしまうことを防止することができる。また、図６に示す例では、電気泳動表示層３６０を貼り合わせる際に、電気泳動表示層３６０と画素電極３５との間の空気が開口部１４２を通って素子基板１３０の４辺の端部から排出される（図中矢印Ｄで示す方向に抜ける）ため、第１の実施形態と同様に、電気泳動表示層３６０を駆動電極層に密着させることができる。
【００４８】
本発明の技術範囲は上記実施形態に限定されるものではなく、本発明の趣旨を逸脱しない範囲で適宜変更を加えることができる。
【００４９】
例えば、上記実施形態では、絶縁層１４０の開口部１４２が、素子基板１３０の対向する２辺の両端部に連通するように構成した場合について説明したが、本発明はこれに限られず、開口部１４２が、素子基板１３０の対向しない２辺の両端部に連通するように構成してもよい。図７は、変形例に係る表示部３であって、絶縁層１４０及び画素電極３５のみを示した表示部３の平面図である。図７に示す例では、絶縁層１４０は、画素電極３５の中心上方を通り素子基板１３０の図中上側端部及び図中右側端部に連通する複数の開口部１４２を有する。図７に示す例では、電気泳動表示層３６０を貼り合わせる際に、電気泳動表示層３６０と画素電極３５との間の空気が開口部１４２を通って素子基板１３０の図中上側端部及び図中右側端部から排出される（図中矢印Ｄで示す方向に抜ける）ため、上記実施形態と同様に、電気泳動表示層３６０を駆動電極層に密着させることができる。
【００５０】
また、上記実施形態では、真空チャンバー内で電気泳動表示層３６０を貼り合わせる場合について説明したが、ロール式のラミネート機を用いて電気泳動表示層３６０を貼り合わせてもよい。この場合でも、上記実施形態の手法により電気泳動表示層３６０を駆動電極層に密着させることができる。
【００５１】
上記実施形態の電気泳動表示装置は、例えば時刻表示を行う電子時計などの電子機器に適用できる。図８は適用例に係る電子機器１のブロック図である。電子機器１は、ＣＰＵ２、入力部４、記憶部５、電気泳動表示装置１０を含む。電気泳動表示装置１０は、上記実施形態の電気泳動表示装置であって、様々な画像を表示する表示部３と図示しない温度センサーを含む。ＣＰＵ２は、他のブロックを制御し様々な演算や処理を行う。ＣＰＵ２は、例えば記憶部５からプログラムを読み込み、プログラムに従って電気泳動表示装置１０に時刻信号などを入力してもよい。入力部４は、例えば電子機器１の使用者からの指示を受け取り、指示に応じた信号を他のブロックに出力してもよい。記憶部５は、例えばＤＲＡＭやＳＲＡＭなどのメモリーであってもよいし、ＲＯＭを含んでいてもよい。ＣＰＵ２が使用するプログラムは、例えば記憶部５が含むＲＯＭに書かれていてもよい。表示部３は、電気泳動表示装置１０の一部であって、例えば時刻を表示したり、文字、写真などを表示したりしてもよい。
【００５２】
図９（Ａ）〜図９（Ｂ）に、電子機器の具体例を示す。図９（Ａ）は電子機器の１つである電子時計１０００の正面図である。電子時計１０００は、例えば腕時計であり、時計ケース１００２と、時計ケース１００２に連結された一対のバンド１００３とを備える。時計ケース１００２の正面には、電気泳動表示装置１０の表示部３（図８参照）である表示部１００４が設けられ、時刻表示１００５を行っている。時計ケースの側面には、２つの操作ボタン１０１１と１０１２とが設けられ、入力部４（図８参照）として機能する。また、例えば図９（Ｂ）は電子機器の１つである電子ペーパー１１００の斜視図である。電子ペーパー１１００は可撓性を有し、電気泳動表示装置１０の表示部３（図８参照）である表示領域１１０１と、本体１１０２とを備えている。
【００５３】
前記の適用例の電子時計は、腕時計に限らず、置き時計、掛け時計、懐中時計などの時計機能を有する機器に広く適用できる。
【符号の説明】
【００５４】
１  電子機器、２  ＣＰＵ、３  表示部、４  入力部、５  記憶部、１０  電気泳動表示装置、３５  画素電極、３７  共通電極、４８  駆動用ＴＦＴ、４９  低電位電源線、５０  高電位電源線、５５  共通電極配線、６０  表示制御回路、６１  走査線駆動回路、６２  データ線駆動回路、６３  コントローラー、６４  共通電源変調回路、６６  走査線、６８  データ線、７０  ラッチ回路、７０ｆ  帰還インバーター、７０ｔ  転送インバーター、８０  スイッチ回路、９１  第１のパルス信号線、９２  第２のパルス信号線、１２０  マイクロカプセル、１３０  素子基板（基板）、１３１  対向基板、１３２  電気泳動素子、１３４，１３６  接着層、１４０  絶縁層、１４２  開口部、１６０  記憶部、３６０  電気泳動表示層、３７０  共通電極層、１０００  電子時計、１００２  時計ケース、１００３  バンド、１００４  表示部、１００５  時刻表示、１０１１，１０１２  操作ボタン、１１００  ：電子ペーパー、１１０１  表示領域、１１０２  本体
【図１】
2015184634.tif 000003
【図２】
2015184634.tif 000004
【図３】
2015184634.tif 000005
【図４】
2015184634.tif 000006
【図５】
2015184634.tif 000007
【図６】
2015184634.tif 000008
【図７】
2015184634.tif 000009
【図８】
2015184634.tif 000010
【図９】
2015184634.tif 000011
【図１０】
2015184634.tif 000012